(57)【要約】【課題】１．環境に優しい、２．適量生産により在庫コストや残品ロスを低減、３．高級感を醸し出す、これらの諸条件を満たす仕出し容器を提供することを目的とする。【解決手段】段ボールを用い、仕出し容器全体の外観形状を袴型とし、蓋は落とし蓋とし台座の内側上半分に位置する段部によって支えることによって、又、料理を盛りつけるトレーもパルプモールド容器とすることにより目的の仕出し容器を提供する。【選択図】　　　　図１
2004026273.tif 000002
【特許請求の範囲】
【請求項１】
台座に蓋をした状態の容器全体の外観形状は袴型であって、外観台形且つ中空である下方開放の蓋を落とし蓋とし、この落とし蓋を台座の側壁内側に且つ側壁高さの１／２よりも上方に設けた段部で支えるように構成した段ボール製仕出し容器。
【請求項２】
台座の側壁頂部から内側下方に１０乃至２５ｍｍ下がった位置に段部を形成してその外縁部を落とし蓋の支え部とすると共に、残りの大部分にトレーはめ込み部をくり抜くことにより、台座の段部が蓋とトレーとを支えるように構成した請求項１記載の仕出し容器。
【請求項３】
台座の段部にはめ込まれるトレーはパルプモールド容器であって、トレーの外周部下面は接着剤で台座の段部に接着された請求項１又は２記載の仕出し容器。
【発明の詳細な説明】
【０００１】
【発明の属する技術分野】
本発明は、料理の仕出し用の容器に係るものであり、詳しくは落とし蓋付きの段ボール製仕出し容器に関するものである。
【０００２】
【従来の技術】
従来、この種の容器はプラスチック製であって、蓋は台座の側壁頂部の上に載せるタイプのものであった。
【０００３】
【発明が解決しようとする課題】
従来のプラスチック製仕出し容器にあっては、１．製造の場合の最小単位が３万個程度となり、在庫コスト、売れ残りによる残品ロスが大きい。２．使用の際の高級感にかける。３．使用後の処分に際しリサイクル法の適用を受けるので処理費用がかさむ。等の問題点があった。
【０００４】
本発明は、１．製造の場合の最小単位が１００個でも可能な、２．使用の際の高級感に満ちた、３．リサイクル法の適用除外となり処理コストが０となる、仕出し容器を提供することを目的とする。
【０００５】
【課題を解決するための手段】
上記目的を達成するために、本発明における仕出し容器は、台座に蓋をした状態の容器全体の外観形状は袴型であって、外観台形且つ中空である下方開放の蓋を落とし蓋とし、この落とし蓋を台座の側壁内側に且つ側壁高さの１／２よりも上方に設けた段部で支えるように構成した段ボール製のものである。
【０００６】
外観形状の袴型とは、蓋と台座の双方の側壁が四角錐台の形状をしていることを意味する。四角錐の頂角は蓋と台座と同一である必要はない。落とし蓋は台座の側壁内側の上半部に設けた段部で支えるが、更にその内側をもう一段低くしてトレーを支えるようにしても良い。
【０００７】
製造工程及び使用上の都合から、台座の側壁頂部から内側下方に１０乃至２５ｍｍ下がった位置に段部を形成すると好都合である。この段部のうち側壁に近い外縁部を落とし蓋の支え部とすると共に、残りの大部分にトレーはめ込み部をくり抜いて、台座の段部が蓋とトレーとを支えるように構成することにより、仕出し容器は手順良く製造される。又、全体をこのような形状とすることにより、容器全体に高級感が醸し出される。トレーはめ込み部をくり抜いた後に残る段部外縁部の幅は、最も狭い場所で見て５乃至２０ｍｍの範囲が適当である。
【０００８】
台座の段部にはめ込まれるトレーはパルプモールド容器であって、トレーの外周部下面を接着剤で台座の段部に接着することにより使用の際の安定感が増す。トレーの形状はその時々の料理のメニューによって様々に変化する。
【０００９】
【発明の実施の形態】
発明の実施の形態を実施例にもとづき図面を参照して説明する。
図１〜図７は容器全体に関する図面、図８〜図１２は蓋など各部に関する図面である。
【００１０】
図１は全体の正面図、図２は全体の左側面図である。図３は全体の平面図で、つまみ１を持って蓋２を取ると、図６（蓋を外した状態の平面図）のようになる。図１のＢ−Ｂ断面図を図５に、図２のＡ−Ａ断面図を図４に示す。図７は台座３にトレー４をセットして蓋２を開けた状態を示す斜視図である。
【００１１】
蓋２の正面図を図８に、台座３の正面図と平面図をそれぞれ図９と図１０に、トレー４の正面図と平面図をそれぞれ図１１と図１２に於いて示す。蓋２を支持する段部５は図４、図５及び図１０において、示される。図１０において、くり抜き線６の線でくり抜いたトレーはめ込み部を７で示す。図１１においてトレーの段部５との接着部８を示す。図１２において示すトレーの窪み９の形状はその時々の料理のメニューによって様々に変化する。
【００１２】
【発明の効果】
本発明は、上述のとおり構成されているので、次に記載する効果を奏する。
【００１３】
従来のプラスチック製の容器と比較して、材質面と形状面から相乗的な効果が得られる。
【００１４】
材質面では、プラスチック製の場合に製造の最小ロットは３万個程度であるのに対し、段ボール製の場合には１００個でも可能であり、１０００〜３０００個でプラスチックと同コストになる。従って、段ボール製の場合にはプラスチック製の場合と比較して在庫コストや、売れ残りによって生じる残品ロスが激減する。
【００１５】
又、プラスチックでは、使用後の処分に際しリサイクル法の適用を受けるので、処理費用がかさむのに対し、本発明によれば、段ボールを使用することにより、リサイクル法の適用除外となり処理コストが０となる。又このことが本発明に係る仕出し容器に環境重視のイメージを与え、消費者に受け入れられやすいものとなる。
【００１６】
形状面では、段ボールの特質を生かした形作りが可能となり、高級感に満ちた、然も使い易い形状の容器となった。特に、外観形状を袴型とし、蓋を落とし蓋とすることにより、従来にない高級感を醸し出すことが可能となった。
【図面の簡単な説明】
【図１】仕出し容器全体の正面図である。
【図２】仕出し容器全体の左側面図である。
【図３】仕出し容器全体の平面図である。
【図４】図２におけるＡ−Ａ断面図である。
【図５】図１におけるＢ−Ｂ断面図である。
【図６】図３において蓋を外した状態の平面図である。
【図７】蓋を開けた状態の、仕出し容器全体の斜視図である。
【図８】蓋の正面図である。
【図９】台座の正面図である。
【図１０】台座の平面図である。
【図１１】トレーの正面図である。
【図１２】トレーの平面図である。
【符号の説明】
１　つまみ
２　蓋
３　台座
４　トレー
５　段部
６　トレーはめ込み部のくり抜き線
７　　トレーはめ込み部
８　　トレーの、段部との接着部
９　トレーの窪み
１０　側壁頂部
【図１】
2004026273.tif 000003
【図２】
2004026273.tif 000004
【図３】
2004026273.tif 000005
【図４】
2004026273.tif 000006
【図５】
2004026273.tif 000007
【図６】
2004026273.tif 000008
【図７】
2004026273.tif 000009
【図８】
2004026273.tif 000010
【図９】
2004026273.tif 000011
【図１０】
2004026273.tif 000012
【図１１】
2004026273.tif 000013
【図１２】
2004026273.tif 000014